(57)【要約】【課題】電気光学パネル上の熱分布を均一化することにより、その輝度斑を抑制できる電気光学機器および電気光学パネルを提供すること。【解決手段】この電気光学機器１は、電気光学パネル１１と、バックライト１２とを含み構成される。そして、電気光学パネル１１が、基板４１，４２よりも伝熱効率の高い対向電極４３を基板４１，４２間に有する。また、電気光学パネル１１が、対向電極４３を基板４１，４２の表示エリア外部まで延出すると共にこの対向電極４３の延出部分を光源５１または光源５１を覆うリフレクタ部５３ａの近傍に配置する。【選択図】      図２
2004309967.tif 000002
【特許請求の範囲】
【請求項１】
対向する一対の基板を貼り合わせると共に、これらの基板間に液晶材料を封入して成る電気光学パネルと、
光源を備えると共に、当該光源が発する光を前記電気光学パネルに導く導光体を備えるバックライトとを含み構成され、且つ、
前記電気光学パネルが、前記基板よりも伝熱効率の高い対向電極を前記基板間に有し、且つ、前記対向電極を前記基板の表示エリア外部まで延出すると共に当該対向電極の延出部分を前記光源または前記光源を覆うリフレクタ部の近傍に配置する電気光学機器。
【請求項２】
対向する一対の基板を貼り合わせると共に、これらの基板間に液晶材料を封入して成る電気光学パネルと、
光源を備えると共に、当該光源が発する光を前記電気光学パネルに導く導光体を備えるバックライトとを含み構成され、且つ、
電気光学パネルが、前記基板よりも伝熱効率の高い対向電極を前記基板間に有し、且つ、前記対向電極を前記基板の対向電極を表示エリア外部まで延出すると共に、当該対向電極の延出部分を前記光源または前記光源を覆うリフレクタ部に対して、直接的に若しくは伝熱片を介して間接的に接触させて配置する電気光学機器。
【請求項３】
対向する一対の基板を貼り合わせると共に、これらの基板間に液晶材料を封入して成る電気光学パネルと、
光源を備えると共に、当該光源が発する光を前記電気光学パネルに導く導光体を備えるバックライトとを含み構成され、且つ、
電気光学パネルが、前記基板よりも伝熱効率の高い対向電極を前記基板間に有し、且つ、前記対向電極が、前記基板間を封止するシール材の外周にはみ出して形成されると共に前記シール材の外周にて前記光源または前記光源を覆うリフレクタ部に対して直接的に若しくは伝熱片を介して間接的に接触させて配置される電気光学機器。
【請求項４】
前記伝熱片は、前記対向電極に対して前記電気光学パネルの表示エリア外周の略全周に渡り接触しつつ設置される請求項２または３に記載の電気光学機器。
【請求項５】
前記バックライトは、前記光源および前記導光体を収容する収容部を備え、且つ、
前記収容部が、前記光源の背面側に設置されて前記光源からの光を前記導光体側に反射するリフレクタ部と、前記導光体を収容するシャーシ部とを有すると共に、前記リフレクタ部および前記シャーシ部を伝熱材料にて一体形成して成る請求項１〜４のいずれか１つに記載の電気光学機器。
【請求項６】
前記シャーシ部は、前記導光体に対して面接触状態で設置される請求項５に記載の電気光学機器。
【請求項７】
さらに、前記電気光学パネルおよび前記バックライトを収容するシールドを備え、且つ、
前記バックライトが、前記収容部の側壁に第１係止手段を備えると共に、前記シールドが、組立状態にて前記第１係止手段に係合する第２係止手段を、その側壁に備える請求項１〜６のいずれか１つに記載の電気光学機器。
【請求項８】
対向する一対の基板を貼り合わせると共にこれらの基板間に液晶材料を封入して成り、前記基板よりも伝熱効率の高い対向電極をこれらの基板間に有し、且つ、前記対向電極を前記基板の表示エリア外部まで延出すると共に当該対向電極の延出部分を前記光源または前記光源を覆うリフレクタ部の近傍に配置される電気光学パネル。
【請求項９】
対向する一対の基板を貼り合わせると共に、これらの基板間に液晶材料を封入して成る電気光学パネルと、
光源を備えると共に、当該光源が発する光を前記電気光学パネルに導く導光体を備えるバックライトとを含み構成され、前記電気光学パネルが、前記基板よりも伝熱効率の高い対向電極を前記基板間に有してなる電気光学機器の製造方法において、
前記対向電極を前記基板の表示エリア外部まで延出すると共に当該対向電極の延出部分を前記光源または前記光源を覆うリフレクタ部の近傍に配置することを特徴とする電気光学機器の製造方法。
【発明の詳細な説明】
【０００１】
【発明の属する技術分野】
この発明は、電気光学機器、電気光学パネル及び電気光学パネルの製造方法に関し、更に詳しくは、電気光学パネル上の熱分布を均一化することにより、その輝度斑を抑制できる電気光学機器、電気光学パネル及び電気光学機器の製造方法に関する。
【０００２】
【従来の技術】
従来から、ＴＦＤ（Ｔｈｉｎ  Ｆｉｌｍ  Ｄｉｏｄｅ：薄膜ダイオード）素子を採用する液晶表示パネルが、携帯電話機やプロジェクターなどの電気光学機器に用いられている。図９は、従来の電気光学機器の要部を示す側面断面図である。この電気光学機器１００は、シールド１１０と、電気光学パネル１１１と、バックライト１１２と、回路基板１１３と、筐体１１４とを含み構成される。また、バックライト１１２は、光源１２０と、導光板１２１と、リフレクタ１２３と、シャーシ１２４とを含み構成される。かかる従来の電気光学機器１００については、特許文献１〜４に記載される技術が知られている。
【０００３】
【特許文献１】
特開２０００６６２１９号公報
【特許文献２】
特開２０００−１１１９３４号公報
【特許文献３】
特開２０００−１３７４４６号公報
【特許文献４】
特開２０００−１７１８００号公報
【０００４】
【発明が解決しようとする課題】
しかしながら、従来の電気光学機器１００では、光源１２０からの熱が電気光学パネル１１１上にて不均一に分布する。すると、ＴＦＤ素子が熱分布による影響を受けて、電気光学パネル１１１に輝度斑が生じるという問題点があった。具体的には、高温部が低温部に比べて、暗くなる。
【０００５】
そこで、この発明は、上記に鑑みてなされたものであって、電気光学パネル上の熱分布を均一化することにより、その輝度斑を抑制できる電気光学機器、電気光学パネル及び電気光学機器の製造方法を提供することを目的とする。
【０００６】
【課題を解決するための手段】
上記の目的を達成するために、この発明にかかる電気光学機器は、対向する一対の基板を貼り合わせると共に、これらの基板間に液晶材料を封入して成る電気光学パネルと、光源を備えると共に、当該光源が発する光を前記電気光学パネルに導く導光体を備えるバックライトとを含み構成され、且つ、前記電気光学パネルが、前記基板よりも伝熱効率の高い対向電極を前記基板間に有し、且つ、前記対向電極を前記基板の表示エリア外部まで延出すると共に当該対向電極の延出部分を前記光源または前記光源を覆うリフレクタ部の近傍に配置する。
【０００７】
この発明では、電気光学パネルの対向電極を表示エリアの外部まで延出し、この延出部分を、バックライトの光源もしくはこの光源を覆うリフレクタ部の近傍に配置する。この構成において、光源からの熱は、近傍に配置された対向電極の延出部分に伝わり、この対向電極を介して電気光学パネルの表示エリア全面に広がる。ここで、この対向電極は、基板よりも伝熱効率が高いため、表示エリア内にて効率的に熱を分散させる。これにより、表示エリア内の熱分布を均一化できるので、電気光学パネルの温度特性に起因する輝度斑を効果的に抑制できる利点がある。なお、この発明において、光源には、例えば、ＬＥＤ（Ｌｉｇｈｔ  Ｅｍｉｔｔｉｎｇ  Ｄｉｏｄｅ：発光ダイオード）や冷陰極管が含まれる。また、対向電極には、例えば、アルミ電極やその他の金属膜が含まれる。
【０００８】
また、この発明にかかる電気光学機器は、対向する一対の基板を貼り合わせると共に、これらの基板間に液晶材料を封入して成る電気光学パネルと、光源を備えると共に、当該光源が発する光を前記電気光学パネルに導く導光体を備えるバックライトとを含み構成され、且つ、電気光学パネルが、前記基板よりも伝熱効率の高い対向電極を前記基板間に有し、且つ、前記対向電極を前記基板の対向電極を表示エリア外部まで延出すると共に、当該対向電極の延出部分を前記光源または前記光源を覆うリフレクタ部に対して、直接的に若しくは伝熱片を介して間接的に接触させて配置する。
【０００９】
この発明では、電気光学パネルの対向電極を表示エリアの外部まで延出し、この延出部分を、バックライトの光源もしくはこの光源を覆うリフレクタ部に対して、直接的に若しくは伝熱片を介して間接的に接触させる。この構成において、光源からの熱は、直接的に若しくは間接的に対向電極の延出部分に伝わり、この対向電極を介して電気光学パネルの表示エリア全面に広がる。これにより、光源の熱を、基板や空気層を介して伝える構成と比較して、より効率的に対向電極に伝え得るので、表示エリア内の熱分布をより効率的に均一化できる利点がある。なお、この発明において、伝熱片は、少なくとも基板や空気層よりも伝熱効率が高いことを要し、例えば、金属片や金属シールが含まれる。
【００１０】
また、この発明にかかる電気光学機器は、対向する一対の基板を貼り合わせると共に、これらの基板間に液晶材料を封入して成る電気光学パネルと、光源を備えると共に、当該光源が発する光を前記電気光学パネルに導く導光体を備えるバックライトとを含み構成され、且つ、電気光学パネルが、前記基板よりも伝熱効率の高い対向電極を前記基板間に有し、且つ、前記対向電極が、前記基板間を封止するシール材の外周にはみ出して形成されると共に前記シール材の外周にて前記光源または前記光源を覆うリフレクタ部に対して直接的に若しくは伝熱片を介して間接的に接触させて配置される。
【００１１】
この発明では、電気光学パネルの対向電極が、基板のシール材の外周にはみ出して形成され、且つ、この対向電極が、光源もしくはリフレクタ部にたいして接触する。この構成では、光源からの熱が、リフレクタ部を介して対向電極に伝わる。このとき、この熱は、シール材の外周から伝わるので、シール材内側に効率的に伝わる。これにより、表示エリア内の熱分布をより効果的に均一化できる利点がある。
【００１２】
また、この発明にかかる電気光学機器は、前記伝熱片は、前記対向電極に対して前記電気光学パネルの表示エリア外周の略全周に渡り接触しつつ設置される。
【００１３】
この発明では、伝熱片を、対向電極に対して電気光学パネルの表示エリア外周のほぼ全周に渡り接触させて設ける。これにより、光源からの熱を対向電極に対して均等に伝えられるので、表示エリア内における熱分布をより均一化できる利点がある。
【００１４】
また、この発明にかかる電気光学機器は、前記バックライトは、前記光源および前記導光体を収容する収容部を備え、且つ、前記収容部が、前記光源の背面側に設置されて前記光源からの光を前記導光体側に反射するリフレクタ部と、前記導光体を収容するシャーシ部とを有すると共に、前記リフレクタ部および前記シャーシ部を伝熱材料にて一体形成して成る。
【００１５】
この発明では、バックライトの収容部を構成するリフレクタ部とシャーシ部とを、伝熱材料にて一体形成して構成する。かかる構成では、リフレクタ部が、光源からの熱を蓄積し、この熱をシャーシ部に伝える。そして、シャーシ部が、収容する導光体にこの熱を伝え、次に、導光体が、この熱を電気光学パネルに伝える。これにより、光源からの熱が、導光体を介して電気光学パネルに一様に伝えられるので、電気光学パネルの熱分布が均一化されて、熱分布により起因する輝度斑を抑制できる利点がある。なお、伝熱材料には、例えば、アルミニウムその他の金属材料が含まれる。
【００１６】
また、この発明にかかる電気光学機器は、前記シャーシ部は、前記導光体に対して面接触状態で設置される。
【００１７】
この発明では、シャーシ部が、導光体に対して面接触状態にある。これにより、シャーシ部からの熱が導光体に効率的に伝わるので、電気光学パネルの熱分布をより均一化できる利点がある。
【００１８】
また、この発明にかかる電気光学機器は、さらに、前記電気光学パネルおよび前記バックライトを収容するシールドを備え、且つ、前記バックライトが、前記収容部の側壁に第１係止手段を備えると共に、前記シールドが、組立状態にて前記第１係止手段に係合する第２係止手段を、その側壁に備える。
【００１９】
この発明では、バックライトの収容部の側壁に第１係止手段を設け、シールドの側壁にこの第１係止手段に係合する第２係止手段を設ける。そして、電気光学機器の組立状態にて、これらの係止手段を相互に係合させてバックライトをシールド内に収容する。かかる構成によれば、バックライトが、収容部の側壁にてシールドにより係留されるので、シールドを、その下端がバックライトの下方に突出しないように形成できる。すなわち、シールドに設けた係止手段により、バックライトをその底面から持ち上げて保持する構成と比較して、この係止手段の厚み分だけ、構成を薄型化できる利点がある。なお、第１係止手段および第２係止手段には、例えば、係止片および係止穴が該当する。
【００２０】
また、この発明にかかる電気光学パネルは、対向する一対の基板を貼り合わせると共にこれらの基板間に液晶材料を封入して成り、前記基板よりも伝熱効率の高い対向電極をこれらの基板間に有し、且つ、前記対向電極を前記基板の表示エリア外部まで延出すると共に当該対向電極の延出部分を前記光源または前記光源を覆うリフレクタ部の近傍に配置される。
【００２１】
また、この発明にかかる電気光学機器の製造方法は、対向する一対の基板を貼り合わせると共に、これらの基板間に液晶材料を封入して成る電気光学パネルと、光源を備えると共に、当該光源が発する光を前記電気光学パネルに導く導光体を備えるバックライトとを含み構成され、前記電気光学パネルが、前記基板よりも伝熱効率の高い対向電極を前記基板間に有してなる電気光学機器の製造方法において、前記対向電極を前記基板の表示エリア外部まで延出すると共に当該対向電極の延出部分を前記光源または前記光源を覆うリフレクタ部の近傍に配置することを特徴とする。
【００２２】
【発明の実施の形態】
以下、この発明につき図面を参照しつつ詳細に説明する。なお、この実施の形態によりこの発明が限定されるものではない。また、以下に示す実施の形態の構成要素には、当業者が置換可能かつ容易なもの、或いは実質的同一のものが含まれる。
【００２３】
図１は、この発明の実施の形態にかかる電気光学機器の要部を示す組立斜視図である。また、図２は、図１に記載した電気光学機器を示す側面断面図（ａ）および平面図（ｂ）である。この電気光学機器１は、シールド１０と、電気光学パネル１１と、バックライト１２と、回路基板１３と、筐体１４とを含み構成される。電気光学機器１では、まず、筐体１４の壁面１４ａ上に回路基板１３が配置され、その上にバックライト１２が、その一部を重ねつつ配置される。次に、電気光学パネル１１がバックライト１２上に重ねて配置され、その後にシールド１０が、上方から電気光学パネル１１と、バックライト１２とを覆い配置される。なお、この実施の形態では、電気光学機器１が携帯電話機であり、電気光学パネル１１が液晶表示装置である。また、回路基板１３は、電気光学機器１自体を駆動する回路基板であっても良いし、電気光学パネル１１を駆動するＴＡＢ基板その他の回路基板であっても良い。
【００２４】
図３は、図１および図２に記載したシールドを示す側面断面図（ａ）および底面図（ｂ）である。シールド１０は、樹脂系材料から成り、略箱型形状を有する。また、シールド１０は、長手方向の高さに傾斜を有し、高い方の壁面１０ｂと低い方の壁面１０ｃとの間に、高さの差による隙間ｇ１を有する。この隙間ｇ１には、電気光学機器１の組立状態にて、回路基板１３が挿入される（図１および図２参照）。また、シールド１０は、その上面１０ａ側に長方形の窓部３１を有し、高い方の壁面１０ｂの内側中部と低い方の壁面１０ｃの内側底部とにそれぞれ係止片３２，３３を有する。これらの窓部３１および係止片３２，３３は、シールド１０の形成にあたり一体形成される。
【００２５】
図４は、図１および図２に記載した電気光学パネル１１を示す側面図（ａ）および平面図（ｂ）である。この電気光学パネル１１は、ＴＦＤ（Ｔｈｉｎ  Ｆｉｌｍ  Ｄｉｏｄｅ：薄膜ダイオード）を非線形素子として採用する液晶表示パネルである。電気光学パネル１１は、下側ガラス基板４１上にアルミ電極４３を形成し、この上に上側ガラス基板４２を貼り合わせて成る。また、下側ガラス基板４１上には、ＩＣチップ４４が実装される。ここで、アルミ電極４３は、ガラス基板４１にアルミニウムを蒸着させて形成され、表示エリア４５に対応する部分を広く覆いつつ下側ガラス基板４１の全面に渡って形成される。特に、このアルミ電極４３は、ガラス基板４１，４２が貼り合わされた部分のみならず、表示エリア４５の外部まで延出して形成される。また、このアルミ電極４３は、ガラス基板４１，４２間に封入された液晶材料を封止するシール材（図示省略）の外周にはみ出して形成される。なお、このアルミ電極４３は、電気光学パネル１１において、液晶に電圧をかける電極として機能する。また、電気光学パネル１１は、電気光学機器１の組立状態にて、表示エリア４５側をシールド１０側に向けつつシールド１０内に収容され、表示エリア４５がシールド１０の窓部３１から見えるように配置される（図１および図２参照）。
【００２６】
図５は、図１および図２に記載したバックライトを示す側面断面図（ａ）、平面図（ｂ）および正面図（ｃ）である。このバックライト１２は、光源５１と、導光板５２と、フレーム５３とを含み構成される。光源５１は、ＬＥＤ（Ｌｉｇｈｔ  Ｅｍｉｔｔｉｎｇ  Ｄｉｏｄｅ：発光ダイオード）であり、所定間隔を隔てて２基設置される。導光板５２は、略くさび形形状を有し、光源５１の前方に配置される。フレーム５３は、アルミニウム製であり、全体としては略箱型形状を有して光源５１と導光板５２とを内部に収める。また、フレーム５３は、リフレクタ部５３ａと、シャーシ部５３ｂとを結合した一体型形状を有する。リフレクタ部５３ａは、略コの字型断面形状を有し、光源５１の背面外周を覆って光源５１からの光を導光板５２側に反射する。また、リフレクタ部５３ａの側壁には、係止穴５４が設けられる。一方、シャーシ部５３ｂは、リフレクタ部５３ａの底部からなだらかに傾斜しつつ延出され、その内部に導光板５２を収容する。フレーム５３は、シャーシ部５３ｂの傾斜により、リフレクタ部５３ａからシャーシ部５３ｂの端部に至る底部に隙間ｇ２を有する。この隙間ｇ１には、電気光学機器１の組立状態にて、回路基板１３が挿入される（図１および図２参照）。また、シャーシ部５３ｂの内側壁面には、反射膜５５が形成される。この反射膜５５は、導光板５２の下面に位置して、導光板５２内の光を上方に向けて反射する。ここで、この反射膜５５は、シャーシ部５３ｂの内側壁面にアルミニウムを蒸着させて成る。
【００２７】
ここで、従来の電気光学機器１００では、光源１２０を覆うリフレクタ１２３と、導光板１２１を収容するシャーシ１２４とが、別構成であった（図９参照）。これは、従来のバックライト１１２では、リフレクタ１２３内に光源１２０を収め、これをシャーシ１２４に対して固定する構成を採るためであり、かかる構成は、当業者にとって常識的な構成である。かかる構成では、光源１２０からの熱がリフレクタ１２３内に蓄積されて、導光板１２１側に伝わらない。このため、バックライト１１２内にて熱分布が不均一となる。すると、ＴＦＤ素子が熱分布による影響を受けて、電気光学パネル１１１に輝度斑が生じる。具体的には、高温部が低温部に比べて、暗くなる。そこで、従来の電気光学機器１００では、リフレクタ１２３とシャーシ１２４との間に伝熱板１２５を渡して伝熱性を向上させ、バックライト１１２内の熱分布の均一化を図っていた。なお、従来の電気光学機器１００において、リフレクタ１２３およびシャーシ１２４は、ステンレススチール製であり、伝熱板１２５はアルミニウム製である。また、伝熱板１２５は、一般に、０．２［ｍｍ］程度の厚みを有する。しかしながら、従来の電気光学機器１００では、伝熱板１２５の厚みの分だけバックライト１１２の厚みが増すため、製品の薄型化にあたり大きな障害となっていた。
【００２８】
この点において、この電気光学機器１では、バックライト１２のフレーム５３を、リフレクタ部５３ａとシャーシ部５３ｂとの一体形成により構成する。かかる一体構造は、上記当業者の技術常識に鑑みれば、特異な構成といえる。かかる構成では、リフレクタ部５３ａからシャーシ部５３ｂへの直接的な伝熱が可能である。これにより、従来の伝熱板１２５を省略できるので、伝熱板１２５の厚みの分だけバックライト１１２を薄型化できる利点がある。また、フレーム５３が同一材料によりリフレクタ部５３ａとシャーシ部５３ｂとを一体形成して成るので、これらの間の直接的な伝熱が可能となり、従来の電気光学機器１００と比較して、極めて伝熱効率が高い。また、この電気光学機器１では、このフレーム５３がアルミニウム製なので、ステンレス製の場合と比較して、伝熱効率が極めて高い。これにより、バックライト１２の熱分布をより均一化できる利点がある。この電気光学機器１では、伝熱板１２５を省略できるので、部品点数を低減できると共に製品の製造工程を短縮化でき、製品コストを抑制できる利点がある。
【００２９】
また、従来の電気光学機器１００では、電気光学パネル１１１のアルミ電極１４３が、ガラス基板１４１，１４２間にのみ設けられていた（図１０参照）。これは、アルミ電極１４３の機能を考慮すれば、当業者にとって常識的な構成である。かかる構成では、光源１２０からの熱が電気光学パネル１１１上にて不均一に分布し、この結果、ＴＦＤ素子の上記特性により、輝度斑が生じるという問題点があった。この点において、この電気光学機器１では、組立状態にて、バックライト１２の上方から電気光学パネル１１を積み重ね、これらをシールド１０内に収容する。このとき、電気光学パネル１１アルミ電極４３は、ガラス基板４１，４２間から延出されてバックライト１２のリフレクタ部５３ａの真上に位置し、下側ガラス基板４１を挟んでリフレクタ部５３の間近に位置する。かかる構成では、従来の電気光学機器１００と比較して、光源５１からの熱がアルミ電極４３に伝わり易い。そして、アルミ電極４３は、伝熱導率が高く、且つ、電気光学パネル１１の表示エリア４５全面に渡り形成されているので、この熱を表示エリア４５の全面にほぼ均一に伝える。これにより、表示エリア４５の温度が均一化されて、電気光学パネル１１の輝度斑を効果的に抑制できる利点がある。特に、このアルミ電極４３を延出した構成は、上記当業者の技術常識に鑑みれば、特異な構成といえる。また、熱分布による電気光学パネルの輝度斑を解決する手段としては、例えば、特開平２０００−１３７４４６号公報に記載される技術のように、熱を放散させる構成が一般的である。しかしながら、この電気光学機器１では、かかる技術とは逆に、光源５２からの熱をアルミ電極４３を介して積極的に電気光学パネル１１内に取り込み、均一化させる点に特徴を有する。したがって、この電気光学機器１は、その課題解決にあたり、極めて特異な構成を有するといえる。また、この電気光学機器１では、この構成と、上記したバックライト１２のリフレクタ部５３ａおよびシャーシ部５３ｂを一体形成した構成とにより、相乗的に輝度斑を抑制できる利点がある。
【００３０】
また、従来の電気光学機器１００では、バックライト１１２のシャーシ１２４が、平坦な箱型形状を有する。そして、くさび形の導光板１２１が、シャーシ１２４の内壁面に設けられた凸部１２４ａに一端部を係止され、この一端部を持ち上げた状態にてシャーシ１２４内に固定されていた（図９参照）。かかる構成では、導光板１２１の下面と、シャーシ１２４の内側底面との間に隙間１２７ができる。しかしながら、かかる隙間１２７があると、バックライト１１２の底面に上記した伝熱板１２５の効果が低い。すなわち、光源５１の熱が伝熱板１２５を介してシャーシ１２４に伝わっても、シャーシ１２４と導光板５２とが隙間１２７により非接触状態にあるため、導光板５２には熱が伝わり難い。このため、導光板５２上の熱分布が均一化されにくいという問題点があった。この点において、この電気光学機器１では、バックライト１２のシャーシ部５３ｂに傾斜を持たせ、導光板５２の設置状態にて、シャーシ部５３ｂの内側底面が導光板５２の下面に面接触するように構成する（図２（ａ）参照）。これにより、シャーシ部５３ｂから導光板５２への伝熱効率を高められるので、導光板５２の熱分布が均一化されて、電気光学パネル１１の輝度斑を効果的に抑制できる利点がある。また、かかる構成では、シャーシ部５３ｂの反射膜５５と導光板５２とが面接触状態となるため、反射膜５５による光の反射効率が高まり、電気光学パネル１１の輝度を向上できる利点がある。
【００３１】
また、従来の電気光学機器１００では、バックライト１１２のシャーシ１２４に反射シート１２６を貼り付け、これにより、導光板５２内の光を上方に向けて反射させていた（図９参照）。しかしながら、かかる反射シート１２６は相当の厚さを有するため、製品の薄型化にあたり障害となっていた。この点において、この電気光学機器１では、この反射シート１２６に代えて、フレーム５３のシャーシ部５３ｂにアルミニウムを蒸着させて成る反射膜５５を設けるので、より製品を薄型化できる利点がある。また、かかる反射膜５５を設けた構成は、反射シート１２６を設けた構成よりも、一般に安価である。かかる反射膜５５を設けた構成によれば、反射シート１２６を設けた構成と比較して、部品点数を低減できると共に製品コストを低減できる利点がある。特に、この電気光学機器１では、この構成と、上記したバックライト１２のリフレクタ部５３ａおよびシャーシ部５３ｂを一体形成した構成とにより、相乗的に部品点数を低減できると共に製品コストを低減できる利点がある。なお、この実施の形態では、反射膜５５をシャーシ部５３ｂに形成したが、これに限らず、反射膜５５を導光板５２側に蒸着により形成しても良い。また、この実施の形態では、反射膜５５をアルミニウムにより形成したが、これは、シャーシ部５３ｂから導光板５２への伝熱性を高められる点で好ましい。しかし、これに限らず、銀その他の金属材料により反射膜５５を形成しても良い。
【００３２】
また、従来の電気光学機器１００では、平坦な箱型形状のシャーシ１２４を採用するため、これを収容するシールド１１０も平坦な箱型形状を有していた（図９参照）。そして、回路基板１１３は、筐体１１４の壁面上にて、シールド１１０の脇に並べて設置されていた。一方、この電気光学機器１では、バックライト１２のシャーシ部５３ｂが導光板５２の形状に合わせて傾斜し、また、シールド１０もこれに合わせて傾斜した箱型形状を有する（図２，図３および図５参照）。このため、電気光学機器１の組立状態にて、シールド１０と電気光学パネル１１とバックライト１２とから成るユニットの一端部下方には、隙間ｇ１，ｇ２が存在する。そして、この電気光学機器１では、この隙間ｇ１，ｇ２に回路基板１３を挿入して設置する。これにより、ユニットと、回路基板１３とを一部重ねて配置できるので、電気光学機器１の厚さを維持しつつ、その長さ若しくは幅を短くできる利点がある。
【００３３】
また、従来の電気光学機器には、バックライト１１２と筐体１１４との間に回路基板１１３を挟み込み構成されるものもある（図示省略）。かかる構成では、回路基板１１３をバックライト１１２の側方に配置する電気光学機器１００と比較して、より総厚が大きいという問題点がある。この点において、この電気光学機器１では、バックライト１２下方の隙間ｇ２が形成され、且つ、この隙間ｇ２に回路基板１３を挿入して配置するので、上記従来の電気光学機器と比較して、より薄型化できる利点がある。
【００３４】
また、従来の電気光学機器１００では、シールド１１０の壁面１１０ｂ、１１０ｃの下端に係止片１３２，１３３を設け、これらにより内部に収容したバックライト１１２を係り留めていた（図９参照）。しかしながら、かかる構成では、シールド１１０と電気光学パネル１１１とバックライト１１２とから成るユニットの総厚が、シールド１１０ａの上面から、高い方の壁面１１０ｂにある係止片１３２の下端までの寸法となる。この点において、この電気光学機器１では、シールド１１０の壁面１０ｂの中段に係止片３２を設ける。そして、電気光学機器１の組立状態にて、シールド１０は、バックライト１２を固定するにあたり、一方の係止片３２、３２をリフレクタ部５３ａの係止穴５４，５４に挿入し、他方の係止片３３をシャーシ部５３ｂの端部に係り留める。すると、シールド１０の係止片３２は、バックライト１２の下方にはみ出さない。したがって、シールド１０と電気光学パネル１１とバックライト１２とから成るユニットの総厚は、シールド１０の上面１０ａからバックライト１２のリフレクタ部５３ａの底面までの厚さとなる。これにより、係止片３２の厚さ分だけ、ユニットの総厚を小さくできる利点がある。特に、近年の電気光学機器では、携帯電話機に代表されるように、薄型化の要請が極めて高い。そして、各企業は、かかる要請に対応するため、わずかコンマ何ミリメートル程度の厚みにも注意を払い、多額の研究費を投じる傾向にある。この点において、シールド１０の係止片の厚さ（一般には、０．２［ｍｍ］程度）を省略できる構成は、当業者にとって極めて有用である。なお、電気光学機器１において、上記ユニットの総厚は、３．０［ｍｍ］程度である。また、この電気光学機器１では、この構成と、上記したバックライト１２のリフレクタ部５３ａおよびシャーシ部５３ｂを一体形成した構成とにより、相乗的に製品の厚さを小さくできる利点がある。
【００３５】
なお、この電気光学機器１では、電気光学パネル１１のアルミ電極４３が、ガラス基板４１上にてＩＣチップ４４の外周を広く覆い設けられる（図４（ｂ）参照）。そして、アルミ電極４３は、電気光学機器１の組立状態にて、バックライト１２のリフレクタ部５３ａ上に広く位置する。これにより、アルミ電極４３が、光源５１からの熱をリフレクタ部５３ａを介して効率的に拾うので、効果的に電気光学パネル１１の熱分布を均一化できる利点がある。
【００３６】
また、この電気光学機器１では、電気光学パネル１１のアルミ電極４３が、ガラス基板４１を介してバックライト１２のリフレクタ部５３ａに接触する。かかる構成は、アルミ電極４３が形成された電気光学パネル１１を、そのままリフレクタ部５３ａに接触させつつ設置すればよい点で好ましい。しかし、これに限らず、次の構成を採用してもよい。図６は、この実施の形態にかかる電気光学機器の変形例１を示す組立斜視図（ａ）および側面断面図（ｂ）である。この変形例１では、伝熱片４５が、下側ガラス基板４１の端部を挟み込むように、且つ、アルミ電極４３に接触しつつ設けられる。そして、この伝熱片４５の下面をバックライト１２のリフレクタ部５３ａ上面に接触させつつ、ガラス基板４１を設置する。この伝熱片４５は、金属片や金属シールなどの伝熱性の高い材料により形成される。具体的には、伝熱片４５は、ガラス基板４１よりも伝熱性が高いことを要する。この変形例において、光源５１からの熱は、リフレクタ部５３ａに蓄積し、伝熱片４５を介してアルミ電極４３に伝わる。また、伝熱片４５は、ガラス基板４１よりも熱伝導率が高いので、リフレクタ部５３ａからの熱を効率的にアルミ電極４３に伝える。これにより、ガラス基板４１を介して伝熱させる場合と比較して、より効率的に電気光学パネル１１の熱分布を均一化できる利点がある。
【００３７】
また、図７は、この実施の形態にかかる電気光学機器の変形例２を示す側面断面図（ａ）および平面図（ｂ）である。この変形例２では、電気光学パネル１１が、バックライト１２のリフレクタ部５３ａに対して非接触状態で配置される。そして、伝熱片４６が、ガラス基板４１上のアルミ電極４３と、リフレクタ部５３ａとに渡されて設置される。また、伝熱片４６は、リフレクタ部５３ａ上にて、光源５１のほぼ真上に位置する。かかる構成では、リフレクタ部５１ａに蓄積された熱が、伝熱片４６を介してアルミ電極４３に伝わる。これにより、電気光学パネル１１リフレクタ部５３ａとが非接触状態となる構成においても、光源５１からの熱を効率的にアルミ電極４３に伝え得る利点がある。
【００３８】
また、図８は、この実施の形態にかかる電気光学機器の変形例３を示す平面図（ａ）、側面図（ｂ）および背面図（ｃ）である。この電気光学機器１では、アルミ電極４３が、ガラス基板４１，４２間に注入された液晶を封止するシール材４７の外周に間ではみ出して形成される。そして、下側ガラス基板４１の外周縁部には、アルミニウム製の金属テープから成る伝熱片４８が、このアルミ電極４３に伝熱可能に接触しつつ巻き付けられる。この伝熱片４８は、電気光学機器１の組立状態にて、バックライト１２のリフレクタ部５３ａと、シャーシ部５３ｂの上縁とに対して接触状態で設置される。この構成において、伝熱片４８は、リフレクタ部５３ａおよびシャーシ部５３ｂからの熱をアルミ電極４３に対してその四方から均一に分散しつつ伝える。これにより、アルミ電極４３の熱分布が均一化されるので、電気光学パネル１１の輝度斑をより効果的に抑制できる利点がある。
【００３９】
また、上述した実施形態では、電気光学装置の一例として、液晶表示装置について説明したが、本発明はこれに限定されず、例えば、エレクトロルミネッセンス装置、特に、有機エレクトロルミネッセンス装置、無機エレクトロルミネッセンス装置等や、プラズマディスプレイ装置、ＦＥＤ（フィールドエミッションディスプレイ）装置、ＬＥＤ（発光ダイオード）表示装置、電気泳動表示装置、薄型のブラウン管、液晶シャッター等を用いた小型テレビ、ＤＭＤ（デジタルマイクロミラーデバイス）を用いた装置、携帯電話機、ＰＤＡ（Ｐｅｒｓｏｎａｌ  Ｄｉｇｉｔａｌ  Ａｓｓｉｓｔａｎｔｓ）と呼ばれる携帯型情報機器や携帯型パーソナルコンピュータ、パーソナルコンピュータ、デジタルスチルカメラ、車載用モニタ、デジタルビデオカメラ、液晶テレビ、ビューファインダ型、液晶プロジェクタ、モニタ直視型のビデオテープレコーダ、カーナビゲーション装置、ページャ、電子手帳、電卓、ワードプロセッサ、ワークステーション、テレビ電話機、ＰＯＳ端末機などの電気光学装置に適用してもよい。
【図面の簡単な説明】
【図１】電気光学機器の要部を示す組立斜視図。
【図２】電気光学機器を示す側面断面図（ａ）および平面図（ｂ）。
【図３】シールドを示す側面断面図（ａ）および底面図（ｂ）。
【図４】電気光学パネル１１を示す側面図（ａ）および平面図（ｂ）。
【図５】バックライトを示す側面断面図（ａ）、平面図（ｂ）および正面図（ｃ）。
【図６】変形例１を示す組立斜視図（ａ）および側面断面図（ｂ）。
【図７】変形例２を示す側面断面図（ａ）および平面図（ｂ）。
【図８】変形例３を示す平面図（ａ）、側面図（ｂ）および背面図（ｃ）。
【図９】従来の電気光学機器を示す側面断面図。
【図１０】従来の電気光学パネルを示す平面図。
【符号の説明】
１  電気光学機器、１１  電気光学パネル、１２  バックライト、４３  対向電極、５１  光源、５３ａ  リフレクタ部
【図１】
2004309967.tif 000003
【図２】
2004309967.tif 000004
【図３】
2004309967.tif 000005
【図４】
2004309967.tif 000006
【図５】
2004309967.tif 000007
【図６】
2004309967.tif 000008
【図７】
2004309967.tif 000009
【図８】
2004309967.tif 000010
【図９】
2004309967.tif 000011
【図１０】
2004309967.tif 000012